(57)【特許請求の範囲】
【請求項１】
患部を検査し医用画像を撮像する医用画像撮像装置と、前記医用画像を入力する画像入力装置と、前記医用画像を情報処理して得られた検査データを管理する情報処理装置と、前記医用画像を記憶する外部記憶装置から構成される医用画像ファイリング装置において、
前記医用画像撮像装置による検査中において、ユーザからの検査開始及び検査終了の指示に基づいて、検査開始／検査終了信号を発生する検査開始／検査終了信号発生手段と、
前記検査開始／検査終了信号発生手段からの前記検査開始／検査終了信号に基づき前記医用画像撮像装置における検査時間を演算する演算手段と、
前記演算手段による前記検査時間の演算結果を記録する記録手段と、
前記検査データをデータベース化して管理し、前記検査データを統合／分割する検査データ統合／分割設定手段と、
を備え、
前記演算手段は、同一患者の検査が連続して行われる場合、第１の検査が実行された後に前記検査終了の指示の有無を判定するとともに、前記第１の検査の実行の終了及び第２の検査の実行の開始を検出し、
前記検査データ統合／分割設定手段は、前記演算手段により前記第２の検査の実行の開始が検出され、かつ、前記検査終了の指示がないと判定された場合、前記第１の検査の結果得られた第１の検査データと前記第２の検査の結果得られた第２の検査データとを統合し、前記演算手段により前記第２の検査の実行の開始が検出され、かつ、前記検査終了の指示があったと判定された場合、前記第１の検査データと前記第２の検査データとを分割することを特徴とする医用画像ファイリング装置。
【請求項２】
前記演算手段は、前記医用画像撮像装置の電源がＯＦＦされることにより前記第１の検査の実行の終了を検出し、前記医用画像撮像装置の電源が再起動されることにより前記第２の検査の実行の開始を検出することを特徴とする請求項１に記載の医用画像ファイリング装置。
【請求項３】
前記検査データ統合／分割設定手段は、前記第１の検査データと前記第２の検査データとを統合する場合、前記演算手段により演算された前記第１の検査の検査時間と前記第２の検査の検査時間とを合わせて統合された１つの検査データとすることを特徴とする請求項１または２に記載の医用画像ファイリング装置。
【発明の詳細な説明】
【０００１】
【発明の属する技術分野】
本発明は、複数の医用画像をデータベース化して管理する医用画像ファイリング装置に関する。
【０００２】
【従来の技術】
近年、体腔内を光ファイバで形成されたイメージガイドを用いて観察するファイバスコープに代わり、先端部に画体撮像素子を撮橡手段に用いた竃子内視鏡が広く使用されるようになった。それに伴い、撮影あるいは撮像した体腔内の内視鏡画像の記録方法もアナログ的記録媒体である写真から、デジタル的記録媒体であるハードディスク（ＨＤＤ）や、光磁気ディスク（ＭＯ）、デジタルビデオディスク（ＤＶＤ）といったデジタル記録媒体へと変化している。そして、電子内視鏡装置等からの画像を圧縮して、前述のデジタル記録媒体に記録・保存し、必要時に検索・再生する画像ファイリングシステムが提案されている。
【０００３】
上記のような内視鏡画像に対する画像ファイリングシステムとしては、画像入力装置、画像記録装置、画像再生装置から成り、それぞれがネットワーク接続されたネットワーク型のシステムと、１台で画像の入力、記録、検索・再生が可能なスタンドアロン型のシステムが提案されている。
【０００４】
これらのシステムは、内視鏡検査時に電子内視鏡装置に患者ＩＤ、氏名、生年月日、性別等の患者データをキーボード等を用いて入力し、入力した患者データが内視鏡画像と共に記録されるように構成されている。
【０００５】
そして、検査後に記録されている患者データや、検査日付等の検査データ等を検索情報として検索し、記録した画像を再生することが可能である。また、検査に対する所見情報等を検査データとして入力し、菅理することも可能となっている。よって、例えば、同一患者の過去の検査時の画像を検索・表示し、患部等の変化を観察し、診断や治療を効率的に行うといった利用が可能である。
【０００６】
【発明が解決しようとする課題】
内視鏡検査時間は、確かにその検査部位、患者の体調や臓器の形状や状態の個人差、患者が持つ検査に対する恐怖感の有無などによって異なってくるが、同じ患者で２回目の検査であったり、同一部位で同一目的での検査であれば、過去の所要時間から平均値を算出することで、検査所要時間はおおよそ予測できることが多い。
【０００７】
一方、各病院では、一日に検査出来る患者の人数を検査する前から固定していることが多い。しかし、日々の検査時間を計測し、そのデータを基にその日の検査時間を正確に予測することで、固定していた検査数よりも多くの検査を効率よく運用することができる可能性がある。
【０００８】
また、見落とし無く検査でき、かつ内視鏡検査／操作技術に長けている内視鏡医は、その検査所要時間が短いことが多い。短時間で正確な検査、診断、治療を行う優秀な内視鏡医は、患者の立場から考えると検査中の苦痛な時間が短いという点で、さらに病院経営者の立場から考えると一日に受け入れられる患者が多くなり、病院経営上利点があるという点で求められている。
【０００９】
しかしながら、従来の上記ネットワーク型やスタンドアロン型の医用画像ファイリング装置システムにおいては、その検査に要した時間を計測する手段が提案されておらず、よってデータを基に検査の所要時間を予測することができないといった問題がある。
【００１０】
また、優秀な内視鏡医を判断するには、第三者の内視鏡医の評価や検査経験数と同様に、検査所要時間も重要な指標であると考えられるが、上述したように検査の所要時間を予測することができないために、内視鏡医の評価指標の一つのデータを提供することができないといった問題もある。
【００１１】
また、内視鏡検査中に検査方針の変更、検査部位の変更といった様々な理由によって、それに適した内視鏡に種類を変更したり、交換することがあるが、従来の電子内視鏡システムでは、内視鏡の先端にある固体撮橡素子の故障を避けるために、患者の体内から内視鏡を抜去した後、竃子内視鏡システムの電源をＯＦＦにしてから内視鏡の変更／交換を行っていた。
【００１２】
ところが、従来の上記ネットワーク型やスタンドアロン型の医用画像ファイリング装置システムは、電子内視鏡システムの電源ＯＦＦ、あるいは電子内視鏡システムの検査終了キーＯＮによって、検査が終了したと判断するように設計されている。
【００１３】
つまり、上記の手順で内視鏡の種類の変更／交換を行うと、従来の医用画像ファイリング装置システムは、同一患者の検査であるにも係わらず、別の検査が始まったとみなし、同じ患者に対して複数の検査をしたかのようにデータベースに検査データを複数記録していた。
【００１４】
よって、内視鏡の変更／交換を検査中に行った患者に対して、ファイリング装置で検索をかけた時、複数の検索結果が出てくるので、一日に複数回一人の患者が内視鏡検査を受けたように記録される等、データ管理に問題がある。
【００１５】
本発明は、上記事情に鑑みてなされたものであり、医療用画像を取得するための検査時間を計測すると共に、医療用画像を効率的に管理して記憶することのできる医用画像ファイリング装置を提供することを目的としている。
【００１６】
【課題を解決するための手段】
本発明の医用画像ファイリング装置は、患部を検査し医用画像を撮像する医用画像撮像装置と、前記医用画像を入力する画像入力装置と、前記医用画像を情報処理して得られた検査データを管理する情報処理装置と、前記医用画像を記憶する外部記憶装置から構成される医用画像ファイリング装置において、前記医用画像撮像装置による検査中において、ユーザからの検査開始及び検査終了の指示に基づいて、検査開始／検査終了信号を発生する検査開始／検査終了信号発生手段と、前記検査開始／検査終了信号発生手段からの前記検査開始／検査終了信号に基づき前記医用画像撮像装置における検査時間を演算する演算手段と、前記演算手段による前記検査時間の演算結果を記録する記録手段と、前記検査データをデータベース化して管理し、前記検査データを統合／分割する検査データ統合／分割設定手段と、を備え、前記演算手段は、同一患者の検査が連続して行われる場合、第１の検査が実行された後に前記検査終了の指示の有無を判定するとともに、前記第１の検査の実行の終了及び第２の検査の実行の開始を検出し、前記検査データ統合／分割設定手段は、前記演算手段により前記第２の検査の実行の開始が検出され、かつ、前記検査終了の指示がないと判定された場合、前記第１の検査の結果得られた第１の検査データと前記第２の検査の結果得られた第２の検査データとを統合し、前記演算手段により前記第２の検査の実行の開始が検出され、かつ、前記検査終了の指示があったと判定された場合、前記第１の検査データと前記第２の検査データとを分割する。
【００１７】
【発明の実施の形態】
以下、図面を参照しながら本発明の実施の形態について述べる。
【００１８】
図１ないし図１７は本発明の一実施の形態に係わり、図１は医用画像ファイリング装置の構成を示す構成図、図２は図１の観測装置の一例である電子内視鏡装置の構成を示す構成図、図３は図１の制御用ＰＣによる患者名毎に検索をかけた時の表示内容を示す図、図４は図１の制御ＰＣが菅理しているデータベースの構成を示す図、図５は図１の制御ＰＣがＰＣモニタに表示させる検査画面を示す図、図６は図１の制御ＰＣがＰＣモニタに表示させる検索・再生画面を示す図、図７は図１の制御ＰＣによるデータベースの検索時における検査データの統合処理の流れを示すフローチャート、図８は図７の処理における制御ＰＣがＰＣモニタに表示させる検査マスタ検索ツールウィンドウを説明する第１の図、図９は図７の処理における制御ＰＣがＰＣモニタに表示させる検査マスタ検索ツールウィンドウを説明する第２の図、図１０は図７の処理における制御ＰＣがＰＣモニタに表示させる検査マスタデータ選択ウィンドウを説明する図、図１１は図１の制御ＰＣによるデータベースの検索時における検査データの分割処理の流れを示すフローチャート、図１２は図１１の処理における制御ＰＣがＰＣモニタに表示させる検査分割ウィンドウを説明する第１の図、図１３は図１１の処理における制御ＰＣがＰＣモニタに表示させる検査ウィンドウを説明する図、図１４は図１１の処理における制御ＰＣがＰＣモニタに表示させる検査分割ウィンドウを説明する第２の図、図１５は図１１の処理における制御ＰＣがＰＣモニタに表示させる分割開始番号設定ウィンドウを説明する図、図１６は図１１の処理における制御ＰＣがＰＣモニタに表示させる検査分割ウィンドウを説明する第３の図、図１７は図１の制御ＰＣによる検査データの統合及び分割の自動処理の流れを示すフローチャートである。
【００１９】
（構成）
図１に示すように、本実施の形態の医用画像ファイリング装置１は、主に、医用画像ファイリング装置全体の制御を行う制御用ＰＣ（パーソナルコンピュータ）２と、入力画像の圧縮と伸張を行う圧縮伸張装置３と、画像やデータの表示を行うＰＣモニタ４と、画像やデータの記録を行うＭＯ（光磁気ディスク）装置５とから構成されている。
【００２０】
圧縮伸張装置３、ＰＣモニタ４及びＭＯ装置５は、制御用ＰＣ２に接続されており、制御用ＰＣ２には、データや動作指示を入力するためのキーボード６とマウス７が接続されている。また、圧縮伸張装置３には観測装置１０が接続され、その観測装置１０は２台まで接続可能である。さらに、制御用ＰＣ２にはＭＯ装置５を複数台接続可能となっている。
【００２１】
制御用ＰＣ２は、入力された情報をデータベースとして管理するデータベース管理部１１と、時間を刻む内部時計１２と、種々のデータを演算する演算部１３を有しており、データベース管理部１１は、複数のデータベースファイル（患者データベースファイル、検査データベースファイル、画像データベースファイル等）からなる。
【００２２】
図２に示すように、観測装置１０の１構成例である電子内視鏡装置１０ａは主に、患者の体内に挿入する内視鏡１４と、体腔内を明るく照明する照明光を内視鏡１４に供給する光源装置１５と、内視鏡１４に内蔵、または接続された固体撮像素子からの信号を映像信号に変換するビデオプロセッサ１６と、ビデオプロセッサ１６からの映像信号を画像として表示する観察モニタ１７と、ビデオプロセッサ１６に接続されており観察画面上にデータを入力することができる電子内視鏡装置用のキーボード１８とから構成される。
【００２３】
内視鏡１４は、体腔内に挿入する細長の挿入部１９と、この挿入部１９の後端に設けられた操作部２０とを有し、操作部２０にはレリーズ指示を行うレリーズスイッチ２１が設けられており、レリーズスイッチ２１を押す操作により画像の記録信号を発することが可能となっている。
【００２４】
なお、観測装置１０は、電子内視鏡装置１０ａに限らず、超音波内視鏡観測装置、体外エコー装置、外付けカメラ装置でもよい。
【００２５】
以下の表１および表２は、本実施の形態の医用画像ファイリング装置１が菅理しているデータベース８の中の、それぞれ患者データベースファイル、検査データベースファイルの構成を示す。
【００２６】
【表１】
0004350254.tif 000002
【表２】
0004350254.tif 000003
表１は患者データベースファイルで、検査を受けた患者それぞれのデータが記録されている。「患者ＩＤ」は、各患者を識別できるように患者ごとに別個につけられた番号である。この「患者ＩＤ」や、「氏名」や、「生年月日」等を特定することで一人の患者が特定される。
【００２７】
次に、表２は、検査データベースファイルであり、一人の患者の１回の検査を単位として記録が行われている。「検査１Ｄ」は検査が行われた順に付けられた番号である。この「検査ＩＤ」、「検査日」、「診療科」等を特定することで１回の検査が特定される。また、検査データとしては、表２に示したもの以外にも次の｛｝内の項目が挙げられる。
【００２８】
検査データ＝｛検査時年齢、検査コメント、検査種別、検査所要時間、検査開始時刻、入院、外来、内視鏡機種、病変部位、診断名、生検Ｎｏ．、診断詳細、生検結果、特殊検査、フィルム種別、フィルム番号、フィルムロケーション｝
図３は、患者名毎に検索をかけた時の表示内容を示し、図４は制御ＰＣ２が菅理しているデータベース８の構成を示している。そのデータベース８は、患者データベース、検査データベース、画像データベースから構成されている。
【００２９】
図３に示すように、１回だけ検査をおこなった状態の患者Ｂとは異なり、患者Ａのように複数回の検査（定期検査、継続検査、再診、異種検査等）を行うケースも少なくない。
【００３０】
そのため、図４に示すように、患者データベースファイルと検査データベースファイルとを患者データＩＤをキーとしてリンクさせ、また検査データベースファイルと画像データベースファイルとを検査ＩＤをキーとしてリンクさせることで、リレーショナルなデータベース８を構築し、情報の一片から画像データを含む所望の情報すべてを検索することを可能としている。
【００３１】
図５は制御用ＰＣ２のメイン画面の二つの内の一つである検査画面２５を示す。図５の検査画面２５は、主に４つのエリア、すなわち、メニューバーおよびツールバー２６、観測装置ウィンドウ２７、レリーズ画像表示ウィンドウ２８、状況表示ウィンドウ２９とから構成されている。以下に、これらのエリアの役割について説明する。なお、各エリアはウィンドウとして独立な機能を有している。
【００３２】
（１）メニユーバーおよびツールバー２６
医用画像ファイリング装置１で用意されている機能のメニユー、またはアイコン化されたメニューが用意されており、装置の終了、検査画面の切り替え、データ検索の実行、入力したデータの保存、データのメンテナンス等の機能が利用可能となっている。
【００３３】
（２）観測装置ウィンドウ２７
最大２台まで接続される観測装置１０におけるそれぞれの動作状況や、その観測装置１０で検査を行っている患者の患者データを表示する。
【００３４】
（３）レリーズ画像表示ウィンドウ２８
最大２台まで接続される観測装置１０それぞれに対し、検査にて記録された画像を縮小して、レリーズした順に並べて表示する。
【００３５】
（４）状況表示ウィンドウ２９
医用画像ファイリング装置１自身の状況（各装置の接続状態や各装置の状態）、例えば、
・圧縮伸張装置１の状態
・ＭＯ装置３の状態
・記録した画像の記録先
・ＭＯディスクのディスク番号、残容量
を表示する。
【００３６】
また、この検査画面２５は、主に検査時に使用されるが、観測装置ウィンドウ２７上部にある「検索・再生」タグ３０をマウスでクリックすることで、図６の検索・再生画面３１に切り替えることが可能である。逆に、検索・再生画面３１の状熊で、「検査」タグ３２をクリックすると、検査画面２５に戻すことが可能である。
【００３７】
検索・再生用画面３１は、図６に示すように、検査一覧表示エリア３３、画面表示エリア３４、所見表示エリア３５、オブジェクトコピーエリア３６から構成され、検索された画像（Ａ1〜Ａｎ）が画面表示エリア３４が縮小画像として表示される。
【００３８】
（作用）
上記構成により、本実施の形態の医用画像ファイリング装置１の動作について説明する。まず、図１を用いて、装置全体の基本動作を説明する。
【００３９】
本実施の形態の医用画像ファイリング装置１は、電源をＯＮすると、ＰＣモニタ４上にユーザ名とパスワードの入力ウィンドウ（図示せず）が表示され、この入力ウィンドウに所定のユーザ名とパスワードを入力することで、装置が起動しＰＣモニタ４上に、図５の検査画面２６が表示される。
【００４０】
検査を始める際に、電子内視鏡装置１０ａ等の観測装置１０に患者データを入力すると、入力した患者データが本医用画像ファイリング装置１側へ送信され、図５内の観測装置ウィンドウ２７上に表示される。患者データは、観測装置１０上からでなく、本医用画像ファイリング装置１の制御用ＰＣ２のキーボード６や、図示しない磁気カードリーダから入力してもよい。この場合、入力したデータは、医用画像ファイリング装置１側から観測装置１０に送信される。
【００４１】
この際、以前に検査を行い、データベース８上に同じ患者データがすでに登録されている場合は、患者ＩＤのみを入力するのみで、データベース８上の他のデータ（氏名、生年月日等）を検索し、自動で表示するようになっている。
【００４２】
次に検査を開始し、内視鏡１４のレリーズスイッチ２１が押されることで、レリーズされた映像信号とレリーズ信号がビデオプロセッサ１６から圧縮伸長装置３に出力される。レリーズされた映像信号は、圧縮伸長装置３でデジタル変換された後、圧縮処理が加えられ、圧縮画像データとなる。
【００４３】
そして、レリーズ信号と圧縮画像データは、制御用ＰＣ２に伝送され、伝送された圧縮画像データは、図５（検査画面２５）のレリーズ画像表示ウィンドウ２８にその縮小画像として表示される。
【００４４】
また、最初のレリーズ信号は検査開始指示信号として制御用ＰＣ２内の内部時計１２に入力され、内部時計１２は、それが入力された時の時刻を図５（検査画面２５）の観測装置ウィンドウ２７内の検査開始時刻の表示欄に表示する。それと同時に経過時間が、図５（検査画面２５）の観測装置ウィンドウ２７内の表示欄にカウントされていく。その結果、観測装置ウィンドウ２７には記録枚数の表示や検査開始時刻や経過時間が表示される。
【００４５】
検査が開始されたと認識される信号、つまり検査開始指示信号は、通常、１枚目の画像をレリーズした時のレリーズ信号として設定されており制御用ＰＣ２に伝送されるが、制御用ＰＣ２に接続されているキーボード６、マウス７、図示してない圧縮伸長装置３に接続されているフットスイッチから検査開始指示信号を発することができる。
【００４６】
また、検査開始指示信号は、観測装置１０の特定のスイッチ（フットスイッチやスコープスイッチ等）に割り振って、通信により検査開始指示信号として受けるようにしてもよい。
【００４７】
次に、所定の検査を行った後、電子内視鏡装置１０ａ内のキーボード１８上にある「検査終了ボタン」を押すと、検査終了指示信号がビデオプロセッサ１６、圧縮伸長装置３を経由して、制御用ＰＣ２に伝送される。
【００４８】
この検査終了指示信号は、電子内視鏡装置１０ａ（観測装置１０）内のキーボード１８からではなく、制御用ＰＣ２のキーボード６やマウス７、図示しない圧縮伸長装置３に接続されたフットスイッチにより入力することができる。この場合は、制御用ＰＣ２側から観測装置１０側に、検査終了を告げるデータの送信がなされる。
【００４９】
いずれの場合においても、検査終了指示信号は制御用ＰＣ２内の内部時計１２に入力され、制御用ＰＣ２は入力された時を検査終了時刻として認識する。それと同時に、制御用ＰＣ２内の演算部１３は、検査終了時刻と検査開始時刻から検査所要時間を算出する。算出された検査所要時間と検査開始時刻は、検査データベース内に登録される。
【００５０】
このようにして、検査所要時間と検査開始時刻が検査データベース内に登録されると共に、患者データベースファイル、検査データベースファイル、画像データベースファイル等が作成され、制御ＰＣ２内にデータベース８が構築される。
【００５１】
次に、データベース８の検索時における検査データの統合処理について図７のフローチャートを用いて説明する。ステップＳ１で医用画像ファイリング装置１の電源をＯＮし、スーパーバイザ（菅理者）モードで制御用ＰＣ４にログインし、観測装置ウィンドウ２７上部にある「検索・再生」タグ３０をマウスでクリックすることで、図６の検索・再生画面３１に切り替える。
【００５２】
ステップＳ２で図６（検索・再生画面３１）のツールバー２６の中から、「検査統合」のコマンドを押すことで、図８に示すような検査マスタ検索ツールウィンドウ４１をＰＣモニタ４に表示する。
【００５３】
ステップＳ３で検査マスタ検索ツールウィンドウ４１に検索したい検査日を入力すると、制御ＰＣ２内のデータベース８の中から演算部１３が検索し、検査データをＰＣモニタ４に図８のように一覧表示する。
【００５４】
次に、ステップＳ４で、図９に示すように、統合したい検査データをキーボード６、またはマウス７で一覧表示から複数個選択する。
【００５５】
ステップＳ５で、図９の検査マスタ検索ツールウィンドウ４１の「統合」ボタン４２を押すと、図１０に示すような検査マスタデータ選択ウィンドウ４３が表示される。検査マスタデータ選択ウィンドウ４３の「次のデータ」ボタン４４を押すことで、統合したい患者データを順次表示させ、複数個選択した検査データの中から選択する。統合したい患者データが図１０の検査マスタデータ選択ウィンドウ４３に表示された時に、「確定」ボタン４５を押す。
【００５６】
そして、ステップＳ６で、データベース８の中の選択された検査データの統合が完了し、それがデータベース８内の検査データベースファイル中に記録される。
【００５７】
このようにして、データベース８を検索し、検査データを統合することができる。
【００５８】
次に、データベース８の検索時における検査データの分割処理について図１１のフローチャートを用いて説明する。
【００５９】
図１１に示すように、ステップＳ１１で、スーパーバイザ（管理者）モードで制御用ＰＣ２にログインする。
【００６０】
ステップＳ１２で、図６（検索・再生画面３１）のツールバー２６で「検査分割」のコマンドを押すと、図１２に示すような検査分割ウィンドウ５１が開き、ＰＣモニタ４に表示される。
【００６１】
ステップＳ１２で、検査分割ウィンドウ５１に検索したい検査日を入力すると、制御用ＰＣ２の演算部１３が検査データを検索し、図１３に示すような検査ウィンドウ５２に検査データを一覧表示し、ステップＳ１３で、分割したい検査データをキーボード６、またはマウス７で選択する。
【００６２】
分割したい検査データをキーボード６、またはマウス７で選択すると、検査分割ウィンドウ５１に、ステップＳ１４で、図１４に示すように、その検査の開始した時から記録した画像の番号、すなわち開始画像番号と、その検査で最後に記録した画像の番号、すなわち終了画像番号、患者データ（患者ＩＤ、患者名、性別、生年月日、検査日）が表示される。
【００６３】
図１４の検査分割ウィンドウ５１のＯＫボタン５３を押すと、ステップＳ１５で、図１５に示すように、分割開始番号設定ウィンドウ５４が表示され、分割を開始したい画像番号を入力する。
【００６４】
そしてステップＳ１６で、図１５のＯＫボタン５５を押すことで、図１６のように、分割した後の画像開始番号と終了画像番号が表示される。これで、データベース８の中の選択された検査データの分割が完了し、それがデータベース７内の検査データベースファイル中に記録され、検査分割が完了する。
【００６５】
このようにして、データベース８を検索し、検査データの分割ができる。また、画像開始番号と終了画像番号が検査データに記録されているので、検査分割した後に再統合することもできる。
【００６６】
上記の検査データの統合及び分割は、内視鏡を交換する等して一日に同一患者が連続して検査を行う時、その検査状況により自動的に行われる。
【００６７】
すなわち、図１７に示すように、内視鏡を交換する等して一日に同一患者が連続して検査を行う時、まず、ステップＳ２１で１検査目を実行し、ステップＳ２２電子内視鏡装置１０ａのキーボード１８上の検査終了キーが押されたかどうか判断する。
【００６８】
検査終了キーからの検査終了信号がファイリング装置の制御用ＰＣ２の中にある演算部１３に入力されて、その後、ステップＳ２３で電子内視鏡装置１０ａの電源をＯＦＦにすると、ファイリング装置の制御用ＰＣ４の中にある演算部１３がそれを検知する。
【００６９】
その後、ステップＳ２４で電子内視鏡装置１０ａの電源を再起動すると制御用ＰＣ２の中にある演算部１３がそれを検知し、ステップＳ２５で制御用ＰＣ２の中にある演算部１３が、２検査目が始まったと自動的にみなして、同一患者データが検査データに記録されても検査データを統合せず、２検査目として記録する。
【００７０】
また、一日に同一患者が連続して検査を行う時、ステップＳ２１で電子内視鏡装置１０ａのキーボード１８上の検査終了キーを押さずに、その後、ステップＳ２６で電子内視鏡装置１０ａの電源をＯＦＦにすると、検査終了信号がなかったことと電子内視鏡装置１０ａの電源がＯＦＦされたことを制御用ＰＣ２の中にある演算部１３が検知する。その後、ステップＳ２７で電子内視鏡装置１０ａの電源を再起動すると、ステップＳ２８で制御用ＰＣ２の中にある演算部１３が一連の検査が終わっていないものとみなし、電子内視鏡装置１０ａの電源ＯＦＦ前の検査に検査を統合して検査データを記録する。
【００７１】
このようにして、検査終了キーの有無で同一患者データの連続した検査に対して、自動的に統合、または分割を判断して検査データを記録するので、ユーザが検査データの統合／分割処理を検査後に行う手間を省くことができる。
【００７２】
（効果）
以上説明したように、本実施の形態の医用画像ファイリング装置１では、検査所要時間を計測／記録できるので、過去の所要時間から平均値を算出することで、検査所要時間を予測することを可能とし、これによって、多くの患者の検査を効率的に進行させることができ、また内視鏡医の評価指標の一つのデータを提供することを可能とする。
【００７３】
また、通常、検査開始指示信号は、その検査における最初の画像記録を行った時のレリーズ信号に設定されているが、制御用ＰＣ４に接続されているキーボード５やマウス６、図示していない圧縮伸長装置３に接続されているフットスイッチから検査開始指示信号を発することができるので、検査を開始していないのに誤ってレリーズスイッチ１７を押してしまった時に検査開始時刻を変更することができる。
【００７４】
また、検査目的の部位までの距離が遠く、そこまでに内視鏡１４を体腔内に挿入するのに時間がかかる場合、つまり、最初のレリーズ信号を送るまでに時間がかかる場合は、正確な検査所要時間の計測が困難になる。しかし、本実施の形態の医用画像ファイリング装置１は、制御用ＰＣ２に接続されているキーボード６、マウス７、図示していない圧縮伸長装置３に接続されているフットスイッチから検査開始指示信号を発することができるので、内視鏡１４のレリーズスイッチ２１だけに頼らずに、より正確な検査時間を計測することができる。
【００７５】
［付記］
（付記項１）  患部を検査し医用画像を撮像する医用画像撮像装置と、前記医用画像を入力する画像入力装置と、前記医用画像を情報処理して管理する情報処理装置と、前記医用画像を表示する表示装置と、前記医用画像を記憶する外部記憶装置から構成される医用画像ファイリング装置において、
前記情報処理装置は、前記医用画像をデータベース化して管理し、前記データベースを統合／分割するデータベース統合／分割設定手段
を備えたことを特徴とする医用画像ファイリング装置。
【００７６】
（付記項２）  前記データベース統合／分割設定手段は、自動的に前記データベースの統合／分割を行う
ことを特徴とする付記項１に記載の医用画像ファイリング装置。
【００７７】
（付記項３）  前記データベース統合／分割設定手段は、限定されたユーザのみに設定・使用を許可する
ことを特徴とする付記項１に記載の医用画像ファイリング装置。
【００７８】
【発明の効果】
以上説明したように本発明によれば、医療用画像を取得するための検査時間を計測すると共に、医療用画像を効率的に管理して記憶することができるという効果がある。
【図面の簡単な説明】
【図１】本発明の一実施の形態に係る医用画像ファイリング装置の構成を示す構成図
【図２】図１の観測装置の一例である電子内視鏡装置の構成を示す構成図
【図３】図１の制御用ＰＣによる患者名毎に検索をかけた時の表示内容を示す図
【図４】図１の制御ＰＣが菅理しているデータベースの構成を示す図
【図５】図１の制御ＰＣがＰＣモニタに表示させる検査画面を示す図
【図６】図１の制御ＰＣがＰＣモニタに表示させる検索・再生画面を示す図
【図７】図１の制御ＰＣによるデータベースの検索時における検査データの統合処理の流れを示すフローチャート
【図８】図７の処理における制御ＰＣがＰＣモニタに表示させる検査マスタ検索ツールウィンドウを説明する第１の図
【図９】図７の処理における制御ＰＣがＰＣモニタに表示させる検査マスタ検索ツールウィンドウを説明する第２の図
【図１０】図７の処理における制御ＰＣがＰＣモニタに表示させる検査マスタデータ選択ウィンドウを説明する図
【図１１】図１の制御ＰＣによるデータベースの検索時における検査データの分割処理の流れを示すフローチャート
【図１２】図１１の処理における制御ＰＣがＰＣモニタに表示させる検査分割ウィンドウを説明する第１の図
【図１３】図１１の処理における制御ＰＣがＰＣモニタに表示させる検査ウィンドウを説明する図
【図１４】図１１の処理における制御ＰＣがＰＣモニタに表示させる検査分割ウィンドウを説明する第２の図
【図１５】図１１の処理における制御ＰＣがＰＣモニタに表示させる分割開始番号設定ウィンドウを説明する図
【図１６】図１１の処理における制御ＰＣがＰＣモニタに表示させる検査分割ウィンドウを説明する第３の図
【図１７】図１の制御ＰＣによる検査データの統合及び分割の自動処理の流れを示すフローチャート
【符号の説明】
１…医用画像ファイリング装置
２…制御用ＰＣ
３…圧縮伸張装置
４…ＰＣモニタ
５…ＭＯ装置
６…キーボード
７…マウス
８…データベース
１０…観測装置
１０ａ…電子内視鏡装置
１１…データベース管理部
１２…内部時計
１３…演算部
１４…内視鏡
１５…光源装置
１６…ビデオプロセッサ
１７…観察モニタ
１８…キーボード
１９…挿入部
２０…操作部
２１…レリーズスイッチ
【図１】
0004350254.tif 000004
【図２】
0004350254.tif 000005
【図３】
0004350254.tif 000006
【図４】
0004350254.tif 000007
【図５】
0004350254.tif 000008
【図６】
0004350254.tif 000009
【図７】
0004350254.tif 000010
【図８】
0004350254.tif 000011
【図９】
0004350254.tif 000012
【図１０】
0004350254.tif 000013
【図１１】
0004350254.tif 000014
【図１２】
0004350254.tif 000015
【図１３】
0004350254.tif 000016
【図１４】
0004350254.tif 000017
【図１５】
0004350254.tif 000018
【図１６】
0004350254.tif 000019
【図１７】
0004350254.tif 000020